(57)【要約】【課題】平坦な状態を保ち、盗難や破壊工作による撤去に対して強い舗道用れんが組立品等を提供する。【解決手段】舗道用れんが組立品は、複数の多角形の主れんがと、複数の多角形の連結れんがを有する。各主れんがは、複数の第１側面と、第１側面と交互に配置される複数の第２側面を有する。各第１側面には垂直突起部が形成され、各第２側面には垂直溝部及び水平溝部が形成される。各連結れんがは、向かい合う一組の連結側面と、向かい合う一組の継ぎ手側面を有する。各連結側面には、連結突起部が形成される。各継ぎ手側面には、継ぎ手溝部が形成される。【選択図】図４
0003145860.tif 000002
【実用新案登録請求の範囲】
【請求項１】
舗道用れんが組立品であって、
垂直方向に伸びる垂直突起部が形成される複数の第１側面と、
前記第１側面と交互に配置され、垂直溝部と、垂直方向と交差する水平方向に伸びる水平溝部とが形成される複数の第２側面と、
を有する複数の多角形の主れんがと、
連結突起部が形成される一組の向かい合う連結側面と、
継ぎ手溝部が形成される一組の向かい合う継ぎ手側面と、
を有する複数の多角形の連結れんがと、
を有し、
前記各連結れんがの前記各連結側面の前記連結突起部は、選択された一つの前記主れんがの選択された一つの前記第２側面の前記水平溝部と取り外しできるように係合可能であり、
前記各連結れんがの前記各継ぎ手側面の前記継ぎ手溝部は、選択された一つの前記主れんがの選択された一つの前記第１側面の前記垂直突起部と取り外しできるように係合可能であり、
前記各主れんがの前記各第１側面の前記垂直突起部は、選択された他の一つの前記主れんがの選択された一つの前記第２側面の前記垂直溝部と取り外しできるように係合可能であることを特徴とする舗道用れんが組立品。
【請求項２】
前記各連結れんがの前記各連結側面の前記連結突起部は、鳩尾状の断面を有し、選択された一つの前記主れんがの選択された一つの前記第２側面の前記水平溝部にぴったり合うように係合することを特徴とする請求項１記載の舗道用れんが組立品。
【請求項３】
前記各主れんがは、
上部端面及び下部端面を有し、
前記水平溝部は、
前記上部端面及び前記下部端面の間に前記上部端面及び前記下部端面から離れて配置され、相互に向かい合った上部壁面と下部壁面とを有する水平溝画定壁により画定され、
前記各主れんがの前記各第２側面の前記垂直溝部は、
前記水平溝画定壁の前記下部壁面と、前記主れんが夫々の前記下部端面を貫通し、前記水平溝画定壁の前記上部壁面を終点とすることを特徴とする請求項１記載の舗道用れんが組立品。
【請求項４】
前記各連結れんがは、上部端面及び下部端面を有し、前記各連結れんがの前記各継ぎ手側面の前記継ぎ手溝部は、前記連結れんが夫々の前記上部端面及び前記下部端面を貫通することを特徴とする請求項３記載の舗道用れんが組立品。
【請求項５】
前記各主れんがの前記各第２側面の前記水平溝画定壁は鳩尾状で、前記水平溝部の上部楔合空間を画定する上部を有し、
前記各主れんがの前記各第１側面の前記垂直突起部は、選択された他の一つの前記主れんがの選択された一つの前記第２側面の前記水平溝部の前記上部楔合空間に楔合する上部を有することを特徴とする請求項３記載の舗道用れんが組立品。
【請求項６】
前記各主れんがは、一つ以上の保持溝部が形成される底部を有することを特徴とする請求項１記載の舗道用れんが組立品。
【請求項７】
前記各主れんがは八角形の形状で、前記各連結れんがは正方形の形状であることを特徴とする請求項１記載の舗道用れんが組立品。
【請求項８】
前記舗道用れんが組立品は、更に、複数の側面れんがを有し、
前記各側面れんがは、
外側面と、
前記外側面と平行な内側面と、
前記内側面及び前記外側面を相互連結し、前記内側面及び前記外側面に対して傾斜した二つの向かい合う傾斜側面と、
を有し、
前記内側面には、選択された一つの前記連結れんがの選択された一つの前記継ぎ手側面の前記継ぎ手溝部と係合可能である係合突起部が形成され、
前記各傾斜側面には、選択された一つの前記主れんがの選択された一つの前記第１側面の前記垂直突起部と係合可能である垂直溝部が形成されることを特徴とする請求項７記載の舗道用れんが組立品。
【請求項９】
前記舗道用れんが組立品は、更に、複数の角れんがを有し、
前記各角れんがは、二つの端面を有するＬ字形状側面と、内側面とを有し、
前記内側面は前記Ｌ字形状側面の前記端面を相互連結し、選択された一つの前記主れんがの選択された一つの前記第１側面の前記垂直突起部と係合可能な垂直溝部を形成されることを特徴とする請求項７記載の舗道用れんが組立品。
【請求項１０】
前記舗道用れんが組立品は、更に、複数の結合れんがを有し、
前記各結合れんがは、
相互に交差する二つの面を有するＬ字形状側面と、
前記Ｌ字形状側面の前記面から傾斜して夫々伸びた二つの向かい合う第１側面と、
前記第１側面から夫々伸び、前記Ｌ字形状側面の前記面と夫々平行である二つの向かい合う第２側面と、
前記第２側面を相互連結する内側面と、
を有し、
前記各内側面及び前記各第１側面には、選択された一つの前記主れんがの選択された一つの第１側面の前記垂直突起部と係合可能な垂直溝部が形成され、
前記各第２側面には、選択された一つの前記連結れんがの選択された一つの前記継ぎ手側面の前記継ぎ手溝部と係合可能な垂直突起部が形成されることを特徴とする請求項７記載の舗道用れんが組立品。
【請求項１１】
前記舗道用れんが組立品は、更に、誘導れんがを有し、
前記各主れんがには中央穴が形成され、
前記誘導れんがは選択された一つの前記主れんがの前記中央穴内に取り付けられ、突き出た複数の平行な線状突起部を形成される上部端面を有することを特徴とする請求項１記載の舗道用れんが組立品。
【請求項１２】
前記舗道用れんが組立品は、更に、環状内部れんがを有し、
前記各主れんがには中央穴が形成され、
前記環状内部れんがは、選択された一つの前記主れんがの前記中央穴内に配置され、選択された一つの前記主れんがとの間に間隙を画定し、選択された一つの前記主れんがに連結される複数の相互連結リブを形成されることを特徴とする請求項１記載の舗道用れんが組立品。
【考案の詳細な説明】
【技術分野】
【０００１】
この考案は、舗道用れんが組立品、特に、主れんがと、二つの隣接する主れんがと水平方向に楔合する連結れんがとを有する舗道用れんが組立品等に関する。
【背景技術】
【０００２】
図１に示すように、従来の舗道用れんが１０は概ね正方形の形状を有し、中に土壌を充てんするための正方形中央穴１２を形成されている。舗道用れんが１０は、対角線上に配置される一組の角突起部１３、対角線上に配置される一組の角溝部１４を有し、舗道用れんが１０の一方の角突起部１３と他の舗道用れんが１０の一方の角溝部１４をかみ合わせることにより、二つの舗道用れんが１０を係合することが可能である。
【０００３】
図２に示す別の従来の舗道用れんが２０は、概ね六角形の形状で、三つの第１側面２１、三つの第２側面２２を有し、第２側面２２は第１側面２１と交互に配置される。各第１側面２１には、垂直突起部２１１が形成され、各第２側面２２には垂直溝部２２１及び停止壁２２２が形成される。停止壁２２２は、垂直溝部２２１の底部を限定する。
組立てる際に、他の舗道用れんが２０の垂直突起部２１１が垂直溝部２２１内にはめ込まれると、舗道用れんが２０の停止壁２２２は他の舗道用れんが２０の垂直突起部２１１と接する。
【０００４】
実用新案文献１には、幾何学的連続模様のバラエティに富んだ舗装面を敷設形成するため、長さ予め決定された所定の六角形部材を使用し、その六角形部材と予め決定された長さの四角形部材を任意に組み合わせ、かつ素材として擬石コンクリート、石板、レンガ、タイル、木質ブロック、芝・花その他の植栽物、ガラス、金属部材、その他の素材からなる構成物のいずれかで形成する舗装路構造が示されている。
また、実用新案文献２には、簡単な施工によって植物を植設できるスペースを設けるための、直方体もしくは立方体のれんがに切欠部を形成した舗装用れんがが示されている。
【０００５】
【非特許文献１】実用新案３０１３８７３号
【０００６】
【非特許文献２】実用新案公開平５−９４３０３号
【考案の開示】
【考案が解決しようとする課題】
【０００７】
しかしながら、従来の舗道用れんが１０は、舗道用れんが組立品の構造を容易にするが、舗道用れんが組立品全体は一定期間使用すると平坦ではなくなる傾向があり、盗難や破壊工作による撤去に対して弱い。舗道用れんが２０を用いて組み立てた舗道用れんが組立品も、盗難や破壊工作による撤去に対して弱いという同様の欠点を有する。また、実用新案文献１、実用新案文献２に示す考案は、上記の問題を解決するものではない。
【０００８】
本考案は、このような問題に鑑みてなされたもので、その目的とするところは、前述した従来技術に関する欠点を克服可能な舗道用れんが組立品等を提供することにある。
【課題を解決するための手段】
【０００９】
前述した目的を達成するために、本考案の舗道用れんが組立品は、垂直方向に伸びる垂直突起部が形成される複数の第１側面と、第１側面と交互に配置され、垂直溝部と、垂直方向と交差する水平方向に伸びる水平溝部が形成される複数の第２側面とを有する複数の多角形の主れんがと、連結突起部が形成される一組の向かい合う連結側面と、継ぎ手溝部が形成される一組の向かい合う継ぎ手側面とを有する複数の多角形の連結れんがとを有し、各連結れんがの各連結側面の連結突起部は、選択された一つの主れんがの選択された一つの第２側面の水平溝部と取り外しできるように係合可能であり、各連結れんがの各継ぎ手側面の継ぎ手溝部は、選択された一つの主れんがの選択された一つの第１側面の垂直突起部と取り外しできるように係合可能であり、各主れんがの各第１側面の垂直突起部は、選択された他の一つの主れんがの選択された一つの第２側面の垂直溝部と取り外しできるように係合可能であることを特徴とする舗道用れんが組立品である。
【考案の効果】
【００１０】
本考案によれば、平坦な状態を保ち、盗難や破壊工作による撤去に対して強い舗道用れんが組立品等を提供することができる。
【考案を実施するための最良の形態】
【００１１】
以下、添付図面を参照しながら、本考案に係る舗道用れんが組立品の好適な実施形態について詳細に説明する。
図１は、従来の舗道用れんがを示す斜視図である。
図２は、別の従来の舗道用れんがを用いて組み立てた舗道用れんが組立品を示す組立斜視図である。
図３は、本考案に係る舗道用れんが組立品の第１の実施の形態の概略図である。
図４は、第１の実施の形態の舗道用れんがユニットの部分分解斜視図である。
図５は、第１の実施の形態の舗道用れんがユニットの頂面図である。
図６は、図５の線ＶＩ−ＶＩでの断面図である。
図７は、図５の線ＶＩＩ−ＶＩＩでの断面図である。
図８は、図５の線ＶＩＩＩ−ＶＩＩＩでの断面図である。
図９は、第１の実施の形態の別の舗道用れんがユニットの分解斜視図である。
図１０は、図９の舗道用れんがユニットの頂面図である。
図１１は、本考案に係る舗道用れんが組立品の第２の実施の形態の舗道用れんがユニットの分解斜視図である。
図１２は、図１１の舗道用れんがユニットの頂面図である。
図１３は、第１の実施の形態の階段状構造の組み立て方を示す斜視図である。
図１４は、本考案に係る舗道用れんが組立品の第３の実施の形態の舗道用れんがの斜視図である。
図１５は、第３の実施の形態の組立斜視図である。
図１６は、本考案に係る舗道用れんが組立品の第４の実施の形態の舗道用れんがの斜視図である。
図１７は、第４の実施の形態の組立斜視図である。
尚、以下の説明および添付図面において、略同一の機能構成を有する構成要素については、同一の符号を付することにより重複説明を省略することにする。
【００１２】
最初に、図３、４、５、１３を参照しながら、本考案に係る舗道用れんが組立品の第１の実施の形態について説明する。
本考案に係る舗道用れんが組立品の第１の実施の形態は、複数の多角形の主れんが３０と、複数の多角形の連結れんが４０を有する。
各主れんが３０は、複数の第１側面３３と、第１側面３３と交互に配置される複数の第２側面３４を有する。各第１側面３３には、垂直方向に伸びる垂直突起部３５が形成される。各第２側面３４には、垂直溝部３６と、垂直方向と交差する水平方向に伸びる水平溝部３８とが形成される。
【００１３】
各連結れんが４０は、向かい合う一組の連結側面４３と、向かい合う一組の継ぎ手側面４２を有する。各連結側面４３には、連結突起部４５が形成される。各継ぎ手側面４２には、継ぎ手溝部４４が形成される。
各連結れんが４０の各連結側面４３の連結突起部４５は、選択された一つの主れんが３０の選択された一つの第２側面３４の水平溝部３８（図８参照）と取り外しできるように係合可能であり、このように係合される連結れんが４０は、水平方向にのみ選択された一つの主れんが３０から取り外すことができる。
各連結れんが４０の各継ぎ手側面４２の継ぎ手溝部４４は、選択された一つの主れんが３０の選択された一つの第１側面３３の垂直突起部３５（図７参照）と取り外しできるように係合可能である。
各主れんが３０の各第１側面３３の垂直突起部３５は、選択された他の一つの主れんが３０の選択された一つの第２側面３４の垂直溝部３６（図６参照）と取り外しできるように係合可能であり、このように係合される主れんが３０は、垂直方向にのみ選択された一つの主れんが３０から取り外すことができる。
【００１４】
第１の実施の形態において、各主れんが３０には、更に、中に土壌を充てんする中央穴３１、排水のための複数の排水孔、パイプ５０を通すための複数のパイプ保持溝部３９が夫々形成される。パイプ５０は、水の流れを誘導する。各連結れんが４０には、中に土壌を充てんする中央穴４１が形成される。各主れんが３０は八角形の形状で、各連結れんが４０は正方形の形状である。
【００１５】
基層６０は、舗道用れんが組立品のすぐ下に配置される上部保護カーペット６３、上部保護カーペット６３の下に配置されるフィルタ素材６２、フィルタ素材６２の下に配置される下部保護カーペット６１を有する。
各連結れんが４０の各連結側面４３の連結突起部４５は、鳩尾状の断面を有し、選択された一つの主れんが３０の選択された一つの第２側面３４の水平溝部３８をぴったり合うように係合する。
【００１６】
各主れんが３０は、上部端面３２１及び下部端面３２２を有する。水平溝部３８は、水平溝画定壁３８’により画定される。水平溝画定壁３８’は、上部端面３２１及び下部端面３２２間の、上部端面３２１及び下部端面３２２から離れたところに配置され、向かい合う上部壁面３８１及び下部壁面３８２を有する。
各主れんが３０の各第２側面３４の垂直溝部３６は、水平溝画定壁３８’の下部壁面３８２及び主れんが３０夫々の下部端面３２２を貫通し、水平溝画定壁３８’の上部壁面３８１で終点となる。
【００１７】
各連結れんが４０は、上部端面４６１及び下部端面４６２を有する。各連結れんが４０の各継ぎ手側面４２の継ぎ手溝部４４は、連結れんが４０夫々の上部端面４６１及び下部端面４６２を貫通する。
各主れんが３０の各第２側面３４の水平溝画定壁３８’は鳩尾状で、水平溝部３８の上部楔合空間３７１を画定する上部３７を有する。各主れんが３０の各第１側面３３の垂直突起部３５は、選択された他の一つの主れんが３０の選択された一つの第２側面３４の水平溝部３８（図６参照）の上部楔合空間３７１に楔合する上部３５１を有する。
【００１８】
図４と併せて、図９、１０に示すように、舗道用れんが組立品は更に複数の側面れんが７０及び複数の角れんが８０を有する。各側面れんが７０は、外側面７３、外側面７３と平行な内側面７１、二つの向かい合う傾斜側面７２を有する。傾斜側面７２は、内側面７１及び外側面７３を相互連結するもので、内側面７１及び外側面７３に対して傾斜している。
内側面７１には、選択された一つの連結れんが４０の選択された一つの継ぎ手側面４２の継ぎ手溝部４４と係合可能な係合突起部７４が形成される。各傾斜側面７２には、選択された一つの主れんが３０の選択された一つの第１側面３３の垂直突起部３５と係合可能な垂直溝部７５が形成される。
各角れんが８０は、Ｌ字形状側面８４と内側面８２とを有し、内側面８２はＬ字形状側面８４の二つの端面８３を相互連結し、選択された一つの主れんが３０の選択された一つの第１側面３３の垂直突起部３５と係合可能な垂直溝部８５を形成される。
【００１９】
次に、図１１、１２を参照しながら、本考案に係る舗道用れんが組立品の第２の実施の形態について説明する。
舗道用れんが組立品は、更に、複数の結合れんが９０を有する。各結合れんが９０は、互いに交差する二つの面９３を有するＬ字形状側面９４と、Ｌ字形状側面９４の面９３から傾斜して夫々伸びる二つの向かい合う第１側面９７と、第１側面９７から夫々伸び、かつ、Ｌ字形状側面９４の面９３に夫々平行な二つの向かい合う第２側面９１と、第２側面９１を相互に連結する内側面９２を有する。
各内側面９２及び第１側面９７には、選択された一つの主れんが３０の選択された一つの第１側面３３の垂直突起部３５と係合可能な垂直溝部９６が形成される。各第２側面９１には、選択された一つの連結れんが４０の選択された一つの継ぎ手側面４２の継ぎ手溝部４４と係合可能な垂直突起部９５が形成される。
結合れんが９０を用いることにより、柱のような物がある土地への舗道用れんが組立品の適用が可能となる。
【００２０】
次に、図１４、１５を参照しながら、本考案に係る舗道用れんが組立品の第３の実施の形態について説明する。
舗道用れんが組立品は、更に、複数の誘導れんが１００を有する。各誘導れんが１００は、選択された一つの主れんが３０の中央穴３１内に装着されるもので、突き出た複数の平行な線状突起部１０１が形成される上部端面を有する。
誘導れんが１００は、目の不自由な人を誘導する機能を有する。
【００２１】
次に、図１６、１７を参照しながら、本考案に係る舗道用れんが組立品の第４の実施の形態について説明する。
舗道用れんが組立品は、更に、複数の環状内部れんが２００を有する。各環状内部れんが２００は、選択された一つの主れんが３０の中央穴３１内に配置される。環状内部れんが２００は、選択された一つの主れんが３０との間に間隙２０２を画定するもので、選択された一つの主れんが３０の内部壁に連結される複数の相互連結リブ２０３を形成される。各環状内部れんが２００は、選択された主れんが３０の上部端面３２１と同一平面の上部面２０５を有する。
環状内部れんが２００を用いることにより、歩行時の足と接する面積を増やすことができる。
【００２２】
このように本考案の実施の形態によれば、舗道用れんが組立品に連結れんが４０を含むことにより、前述した従来技術に関する欠点を排除した舗道用れんが組立品等を提供することができる。
【００２３】
以上、添付図面を参照しながら本考案に係る舗道用れんが組立品の好適な実施形態について説明したが、本考案は前述した実施の形態に限定されない。当業者であれば、実用新案登録請求の範囲に記載された技術的思想の範疇内において各種の変更例又は修正例に想到し得ることは明らかであり、それらについても当然に本考案の技術的範囲に属するものと了解される。
【図面の簡単な説明】
【００２４】
【図１】従来の舗道用れんがを示す斜視図
【図２】別の従来の舗道用れんがを用いて組み立てた舗道用れんが組立品を示す組立斜視図
【図３】本考案に係る舗道用れんが組立品の第１の実施の形態の概略図
【図４】第１の実施の形態の舗道用れんがユニットの部分分解斜視図
【図５】第１の実施の形態の舗道用れんがユニットの頂面図
【図６】図５の線ＶＩ−ＶＩでの断面図
【図７】図５の線ＶＩＩ−ＶＩＩでの断面図
【図８】図５の線ＶＩＩＩ−ＶＩＩＩでの断面図
【図９】第１の実施の形態の別の舗道用れんがユニットの分解斜視図
【図１０】図９の舗道用れんがユニットの頂面図
【図１１】本考案に係る舗道用れんが組立品の第２の実施の形態の舗道用れんがユニットの分解斜視図
【図１２】図１１の舗道用れんがユニットの頂面図
【図１３】第１の実施の形態の階段状構造の組み立て方を示す斜視図
【図１４】本考案に係る舗道用れんが組立品の第３の実施の形態の舗道用れんがの斜視図
【図１５】第３の実施の形態の組立斜視図
【図１６】本考案に係る舗道用れんが組立品の第４の実施の形態の舗道用れんがの斜視図
【図１７】第４の実施の形態の組立斜視図
【符号の説明】
【００２５】
１０、２０………舗道用れんが
１２………正方形中央穴
１３………角突起部
１４………角溝部
２１………第１側面
２２………第２側面
３０………主れんが
３１、４１………中央穴
３３………第１側面
３４………第２側面
３５………垂直突起部
３６………垂直溝部
３８………水平溝部
３９………パイプ保持溝部
４０………連結れんが
４２………継ぎ手側面
４３………連結側面
４４………継ぎ手溝部
４５………連結突起部
５０………パイプ
６０………基層
６１………下部保護カーペット
６２………フィルタ素材
６３………上部保護カーペット
７０………側面れんが
７１………内側面
７２………傾斜側面
７３………外側面
７４………係合突起部
７５………垂直溝部
８０………角れんが
８２………内側面
８４………Ｌ字形状側面
８５………垂直溝部
９０………結合れんが
９１………第２側面
９２………内側面
９３………面
９４………Ｌ字形状側面
９５………垂直突起部
９６………垂直溝部
９７………第１側面
１０１………線状突起部
２００………環状内部れんが
２０２………間隙
２０３………相互連結リブ
２０５………上部面
２１１………垂直突起部
２２１………垂直溝部
２２２………停止壁
３２１………上部端面
３２２………下部端面
【図１】
0003145860.tif 000003
【図２】
0003145860.tif 000004
【図３】
0003145860.tif 000005
【図４】
0003145860.tif 000006
【図５】
0003145860.tif 000007
【図６】
0003145860.tif 000008
【図７】
0003145860.tif 000009
【図８】
0003145860.tif 000010
【図９】
0003145860.tif 000011
【図１０】
0003145860.tif 000012
【図１１】
0003145860.tif 000013
【図１２】
0003145860.tif 000014
【図１３】
0003145860.tif 000015
【図１４】
0003145860.tif 000016
【図１５】
0003145860.tif 000017
【図１６】
0003145860.tif 000018
【図１７】
0003145860.tif 000019